(57)【要約】      （修正有）【課題】背丈の高い物を収納する場合であっても、棚部材を有効利用できる冷蔵庫を提供する。【解決手段】冷蔵庫本体３に設けられる貯蔵室５と、貯蔵室５の内部に取り外し可能に設けられる棚部材７と、貯蔵室５の内壁に設けられ、棚部材７を支持する係合突起３１及び側壁突部３３と、を有する。棚部材７は、屈曲部１０を介して互いに屈曲する第１の棚部９及び第２の棚部１１を備える。第１の棚部９及び第２の棚部１１は、係合突起３１及び側壁突部３３に支持された状態で、貯蔵物を載せる載置面が同一面上の水平面となる「同一面形状」と、「同一面形状」に対し、第１の棚部９が屈曲部１０を介して屈曲した状態で、第２の棚部１１が係合突起３１及び側壁突部に支持される「屈曲形状」と、に変位する。【選択図】図１
2019124370.tif 000002
【特許請求の範囲】
【請求項１】
冷蔵庫本体に設けられる貯蔵室と、
前記貯蔵室の内部に取り外し可能に設けられる棚部材と、
前記貯蔵室の内壁に設けられ、前記棚部材を支持する支持部と、を有し、
前記棚部材は、屈曲部を介して互いに屈曲する第１の棚部及び第２の棚部を備え、
前記第１の棚部及び第２の棚部は、前記支持部に支持された状態で、貯蔵物を載せる載置面が同一面上の水平面となる同一面形状と、前記同一面形状に対し、いずれか一方が前記屈曲部を介して屈曲した状態で、いずれか他方が前記支持部に支持される屈曲形状と、に変位することを特徴とする冷蔵庫。
【請求項２】
前記貯蔵室の前後方向後側の外側下部に、圧縮機を収容配置する機械室が形成され、
前記機械室に対応する前記貯蔵室には、前方に膨出する膨出部が形成され、
前記膨出部の上面の延長上に、前記棚部材の貯蔵物を載せる載置面が位置していることを特徴とする請求項１に記載の冷蔵庫。
【請求項３】
前記貯蔵室の前後方向後側の内壁には、前記同一面形状に対して屈曲した状態の前記第１の棚部と第２の棚部とのいずれか一方を、左右両側から支持する屈曲形状支持部が設けられていることを特徴とする請求項１または２に記載の冷蔵庫。
【請求項４】
前記支持部は、前記貯蔵室の前後方向後側の内壁及び、左右方向両側の内壁にそれぞれ設けられ、
前記貯蔵室の前後方向後側の内壁の支持部は、前記第１の棚部を支持する第１の支持部と、前記第２の棚部を支持する第２の支持部と、を備え、
前記第１の支持部と前記第２の支持部との間に隙間が形成され、
前記隙間の上方に前記屈曲部が位置し、かつ、前記隙間に、前記同一面形状に対して屈曲した状態の前記第１の棚部と第２の棚部とのいずれか一方が位置することを特徴とする請求項１ないし３のいずれか１項に記載の冷蔵庫。
【請求項５】
前記屈曲部は、前記第１の棚部と前記第２の棚部とを回転自在に連結する回転支持軸を備えていることを特徴とする請求項１ないし４のいずれか１項に記載の冷蔵庫。
【発明の詳細な説明】
【技術分野】
【０００１】
本発明は、貯蔵室の内部を区画する棚部材を備えた冷蔵庫に関する。
【背景技術】
【０００２】
特許文献１には、貯蔵室に収納する物の大きさに応じて、区画する空間の大きさを変えることができる庫内棚装置が開示されている。庫内棚装置は、横方向に連なるように並べられる第１、第２、第３の棚部材を備えている。第１の棚部材は、庫内の左右方向一方の空間を上下方向に区画するもので、左右方向中央側の端部が、第１の棚部材に対して下方に屈曲する脚部材により支持されている。第２、第３の棚部材は、庫内の左右方向他方の空間を、上下方向に区画する使用状態から、相互の連結部分を中心として折り畳んで庫内の側面に沿わせた不使用状態に変換可能となっている。
【先行技術文献】
【特許文献】
【０００３】
【特許文献１】実開昭６３−８７４９４号公報
【発明の概要】
【発明が解決しようとする課題】
【０００４】
従来の庫内棚装置は、第２、第３の棚部材を使用状態から不使用状態とすることで、背丈の高い瓶を立てたままで収納することができる。しかし、背丈の高い瓶を立てたままで収納する際には、折り畳んだ状態の第２、第３の棚部材を庫内の側面に沿わせて不使用状態、すなわち使用していない状態とする必要がある。このため、第２、第３の棚部材は、背丈の高い瓶を立てたままで収納する際には、不要なものとなり、有効利用されていないことになる。
【０００５】
そこで本発明は、背丈の高い物を収納する場合であっても、棚部材を有効利用できるようにすることを目的としている。
【課題を解決するための手段】
【０００６】
本発明の実施の形態の冷蔵庫は、冷蔵庫本体に設けられる貯蔵室と、前記貯蔵室の内部に取り外し可能に設けられる棚部材と、前記貯蔵室の内壁に設けられ、前記棚部材を支持する支持部と、を有し、前記棚部材は、屈曲部を介して互いに屈曲する第１の棚部及び第２の棚部を備え、前記第１の棚部及び第２の棚部は、前記支持部に支持された状態で、貯蔵物を載せる載置面が同一面上の水平面となる同一面形状と、前記同一面形状に対し、いずれか一方が前記屈曲部を介して屈曲した状態で、いずれか他方が前記支持部に支持される屈曲形状と、に変位する。
【図面の簡単な説明】
【０００７】
【図１】本発明の一実施形態に係わる冷蔵庫の扉を省略した状態の斜視図である。
【図２】図１の冷蔵庫に使用される棚部材を「同一面形状」とした場合の斜視図である。
【図３】図１の冷蔵庫に使用される棚部材を「屈曲形状」とした場合の斜視図である。
【図４】図２の「同一面形状」とした棚部材を図１の冷蔵庫に取り付けた状態を示す正面図である。
【図５】図３の「屈曲形状」とした棚部材を図１の冷蔵庫に取り付けた状態を示す正面図である。
【図６】図４のＡ−Ａ断面図である。
【図７】図４のＢ−Ｂ断面図である。
【発明を実施するための形態】
【０００８】
以下、本発明の実施の形態を図面に基づき説明する。なお、以下の説明において、冷蔵庫における「左右方向」は、冷蔵庫を正面から見たときの左右方向で、「前後方向」は、冷蔵庫の前面側を前、後面側（奥側）を後とした前後方向である。
【０００９】
図１は、本発明の一実施形態に係る冷蔵庫１の斜視図である。冷蔵庫１は冷蔵庫本体３を備え、冷蔵庫本体３の内部に貯蔵室５が形成されている。冷蔵庫本体３は、外側側板からなる外箱と、内側側板からなる内箱とを有し、外箱と内箱との間に断熱材を配置した断熱構造体である。貯蔵室５は、冷蔵庫１の前面側に開口部５ａが形成され、開口部５ａは図示省略した扉によって開閉される。貯蔵室５内に図２、図３に示す棚部材７を取り外し可能に配置している。棚部材７は、第１の棚部９と第２の棚部１１とが、屈曲部１０において回転支持軸１３を中心として相対的に回動自在であり、図２に示す「同一面形状」と、図３に示す「屈曲形状」とに変位する。
【００１０】
第１の棚部９は、平板形状の棚面９ａを有し、棚面９ａの回転支持軸１３が設けられた側縁を除く三方の側縁から、フランジ９ｂ，９ｃ，９ｄが９０度の角度で屈曲して形成されている。フランジ９ｂは、回転支持軸１３が設けられた側縁と反対側の側縁に位置しており、フランジ９ｃ，９ｄは互いに対向する位置にある。フランジ９ｂの両端は、フランジ９ｃ，９ｄの回転支持軸１３が設けられた側縁と反対側の端部にそれぞれ連続している。第１の棚部９は、フランジ９ｂ，９ｃ，９ｄを備えることで剛性が向上する。
【００１１】
棚面９ａは、回転支持軸１３が設けられた側縁がフランジ９ｃ，９ｄの端部から突出する突出部９ａ１を備えている。図３に示すように、フランジ９ｃ，９ｄの端部近傍の突出部９ａ１の裏面に、回転支持軸１３を回転支持する一対の回転軸支持部９ｅ，９ｆを設けている。一対の回転軸支持部９ｅ，９ｆは、フランジ９ｃ，９ｄよりも互いに接近する側に位置している。
【００１２】
第２の棚部１１は、平板形状の棚面１１ａを有し、棚面１１ａの回転支持軸１３が設けられた側縁を除く三方の側縁から、フランジ１１ｂ，１１ｃ，１１ｄが９０度の角度で屈曲して形成されている。フランジ１１ｂは、回転支持軸１３が設けられた側縁と反対側の側縁に位置しており、フランジ１１ｃ，１１ｄは互いに対向する位置にある。フランジ１１ｂの両端は、フランジ１１ｃ，１１ｄの回転支持軸１３が設けられた側縁と反対側の端部にそれぞれ連続している。第２の棚部１１は、フランジ１１ｂ，１１ｃ，１１ｄを備えることで剛性が向上する。棚面９ａ，１１ａは、いずれも平面視でほぼ矩形状であり、貯蔵物を載せる載置面を構成している。
【００１３】
フランジ１１ｃ，１１ｄのフランジ１１ｂと反対側の端部は、回転軸取付部１１ｃ１，１１ｄ１となっている。回転軸取付部１１ｃ１，１１ｄ１は、第１の棚部９の回転軸支持部９ｅ，９ｆを両側から挟むようにして、回転軸支持部９ｅ，９ｆの外側に位置している。回転支持軸１３は、回転軸取付部１１ｃ１，１１ｄ１及び回転軸支持部９ｅ，９ｆに挿入され、第１の棚部９と第２の棚部１１とを相対回転自在に支持している。回転軸取付部１１ｃ１，１１ｄ１の先端の角部は面取りもしくはＲ形状としている。これにより、第１の棚部９と第２の棚部１１とが回転支持軸１３を中心として相対回転するときに、回転軸取付部１１ｃ１，１１ｄ１の先端角部の第１の棚部９に対する接触を抑制でき、円滑な回転が可能となる。
【００１４】
図３に示すように、棚面１１ａは、回転軸取付部１１ｃ１，１１ｄ１相互間に位置する部分が、棚面１１ａのほぼ板厚分、回転支持軸１３側に屈曲して段差１４を形成し、段差面１５となっている。段差面１５の回転軸取付部１１ｃ１，１１ｄ１近傍には、段差１４と反対側の端部から切り欠かれた切欠部１５ａ，１５ｂが形成され、切欠部１５ａ，１５ｂに、第１の棚部９の回転軸支持部９ｅ，９ｆが入り込んでいる。すなわち、切欠部１５ａ，１５ｂは、第１の棚部９と第２の棚部１１とを組み付けた状態での回転軸支持部９ｅ，９ｆの逃げ部となっている。
【００１５】
第２の棚部１１における段差面１５の段差１４からフランジ１１ｂと反対側の端部までの長さは、第１の棚部９における突出部９ａ１のフランジ１１ｃ，１１ｄの端部からの突出長さとほぼ同等である。これにより、棚部材７を図３の「屈曲形状」から図２の「同一面形状」に変位させたときに、突出部９ａ１が段差面１５に整合して入り込み、図２に示すように、棚面９ａ，１１ａがほぼ同一面となる。
【００１６】
図１に示す冷蔵庫本体３は、上壁３ａと、下壁３ｂと、左側壁３ｃと、右側壁３ｄと、後壁３ｅとを備えており、これら各壁に囲まれた内側に前述した貯蔵室５が形成されている。貯蔵室５の上方には、隔壁１７を介してエバプレート１９が設けられている。隔壁１７は、エバプレート１９側から流れ落ちる結露水を受け、当該結露水を貯蔵室５の外部に排出する。
【００１７】
ここでは、隔壁１７の下方の空間が貯蔵室５となる。図１に示す棚部材７は図３の「屈曲形状」に対応している。図４は、棚部材７を図２の「同一面形状」とした場合の冷蔵庫本体３の正面図、図５は、棚部材７を図３の「屈曲形状」とした場合の図１に対応する冷蔵庫本体３の正面図である。
【００１８】
図４のＡ−Ａ断面図である図６に示すように、後壁３ｅは、下部において、前方（図６中で左側）に向けて膨出する膨出部２１が形成されている。膨出部２１は、下壁３ｂの後端から立ち上がる縦壁２１ａと、後壁３ｅの下端から前方に向けて屈曲する横壁２１ｂとを備える。縦壁２１ａの上端と横壁２１ｂの前端とは、傾斜壁２１ｃによりつながっている。
【００１９】
縦壁２１ａ、横壁２１ｂ及び傾斜壁２１ｃに囲まれた、冷蔵庫本体３の下部後方の外側の領域は、機械室２３を構成しており、機械室２３に圧縮機２５を配置している。すなわち、機械室２３に対応する貯蔵室５には、前方に膨出する膨出部２１が形成されている。圧縮機２５は、下壁３ｂの下面及び機械室２３を下方から覆っている底板２６の上に固定している。
【００２０】
傾斜壁２１ｃは、図４に示すように、左右方向に沿って一定間隔をおいて断続的に形成している。断続的に形成した傾斜壁２１ｃ相互間には、前方に向けて突出する突起２７を形成している。突起２７は、図６に示すように、側面視でほぼ直角三角形状であり、突起上面２７ａは、横壁２１ｂの上面２１ｂ１と同一面であり、突起前面２７ｂは、縦壁２１ａの前面２１ａ１と同一面である。突起前面２７ｂに棚部材７のフランジ９ｄ，１１ｄがほぼ当接する。
【００２１】
図４に示すように、左右方向中央に位置する突起２７（以下、この突起２７を突起２７Ａとする。）は、他の突起２７よりも左右方向の幅がやや大きい。突起２７Ａの左右両側には、図４のＢ−Ｂ断面図である図７に示すように、縦壁２１ａから前方に向けて突出する係合突起２９，３１を形成している。係合突起２９，３１は、縦壁２１ａ側の上部に、フランジ９ｄ，１１ｄが上方から入り込む係合凹部２９ａ，３１ａを備えており、棚部材７の後方側を支持する後方支持部を構成している。突起２７Ａの左右方向の幅、換言すれば、係合突起２９，３１相互間の隙間３２は、棚部材７のフランジ９ｄ，１１ｄの棚面９ａ，１１ａからの高さ寸法よりやや大きい。なお、図６、図７では、左側壁３ｃの内壁に形成してある後述する側壁突部３３や側壁下突部４７を省略している。
【００２２】
図４に示すように、左側壁３ｃ及び右側壁３ｄの上下方向ほぼ中央位置の各内壁には、互いに対向する方向に向けて突出する側壁突部３３，３５を形成している。側壁突部３３，３５の上に棚部材７のフランジ９ｂ，１１ｂがそれぞれ載置される。棚部材７は、フランジ９ｂ，１１ｂを側壁突部３３，３５の上に載置し、かつ、フランジ９ｄ，１１ｄを係合凹部２９ａ，３１ａに係合させた状態で、図６、図７に示すように、棚面９ａ，１１ａが横壁２１ｂの上面２１ｂ１とほぼ同一面となる。側壁突部３３，３５は、棚部材７の左右方向両側を支持する側方支持部を構成している。
【００２３】
ここで、棚部材７の第１の棚部９は、第１の支持部を構成する係合突起２９及び側壁突部３３に支持され、棚部材７の第２の棚部１１は、第２の支持部を構成する係合突起３１及び側壁突部３５に支持される。側壁突部３３，３５の上方には、側壁上突部３７，３９が形成されている。図４に示すように、側壁突部３３，３５と側壁上突部３７，３９との間の間隙に、「同一面形状」とした状態の棚部材７の左右両側部が入り込む。
【００２４】
係合突起２９，３１の下方には、屈曲形状支持部としての後壁突部４１，４３が、前方に向けて突出するようにして形成されている。後壁突部４１，４３相互間の隙間４５は、前述した係合突起２９，３１相互間の隙間３２に対し、左右方向の間隔が同等であり、かつ、左右方向に関して同一位置である。図７に示すように、後壁突部４１，４３の縦壁２１ａ側の上部には、棚部材７の各フランジ９ｄ，１１ｄが上方から入り込む係合凹部４１ａ，４３ａが形成されている。
【００２５】
側壁突部３３，３５の下方には、側壁下突部４７，４９が形成されている。側壁突部３３，３５と側壁下突部４７，４９との間の間隙に、「同一面形状」とした状態の棚部材７の左右両側部を入り込ませることができる。すなわち、棚部材７は、「同一面形状」とした状態で、図４の位置よりも下方位置において、フランジ９ｂ，１１ｂを側壁下突部４７，４９の上に載置し、かつ、フランジ９ｄ，１１ｄを係合凹部４１ａ，４３ａに係合させることができる。
【００２６】
図２のように「同一面形状」とした棚部材７を図４に示すように、側壁突部３３，３５の上に載置して貯蔵室５内に取り付けたときには、棚部材７の下方の空間の他に、棚部材７の上方の空間に適宜貯蔵物を収納して貯蔵することができる。このとき、フランジ９ｄ，１１ｄが係合凹部２９ａ，３１ａに係合するので、棚部材７は、前後方向の移動が規制される。
【００２７】
「同一面形状」とした棚部材７を図４の位置より下方の側壁下突部４７，４９の上に載置して貯蔵室５内に取り付けたときにも、フランジ９ｄ，１１ｄが係合凹部４１ａ，４３ａに係合するので、棚部材７は、前後方向の移動が規制される。このとき、棚部材７の下方の空間は、図４のときよりも狭くなるが、棚部材７の上方の空間は図４のときよりも広くなる。このため、棚部材７を図４のように側壁突部３３，３５に載置したときと、側壁下突部４７，４９に載置したときとで、貯蔵物によって使い分けることができる。
【００２８】
棚部材７を図２に示す「同一面形状」から、第１の棚部９と第２の棚部１１との間で、回転支持軸１３を中心として９０度屈曲させて、図３の「屈曲形状」とすることができる。「屈曲形状」の棚部材７は、図１、図５に示すように、第２の棚部１１の右側端部を右側の側壁突部３５の上に載置し、かつ、フランジ１１ｄを右側の係合突起３１の係合凹部３１ａに係合させる。このとき、第１の棚部９は、係合突起２９，３１相互間の隙間３２及び、後壁突部４１，４３相互間の隙間４５に入り込み、左右方向の位置が決められる。「屈曲形状」の棚部材７は、第１の棚部９の下端が下壁３ｂの上面（貯蔵室５の底面）に接触する。このとき、第１の棚部９は、フランジ９ｂが下壁３ｂの上面（貯蔵室５の底面）に面接触するので、「屈曲形状」がより安定する。
【００２９】
次に、本実施形態の作用効果を説明する。
【００３０】
（１）本実施形態は、冷蔵庫本体３に設けられる貯蔵室５と、貯蔵室５の内部に取り外し可能に設けられる棚部材７と、貯蔵室５の内壁に設けられ、棚部材７を支持する係合突起２９，３１及び側壁突部３３，３５と、を有する。棚部材７は、屈曲部１０を介して互いに屈曲する第１の棚部９及び第２の棚部１１を備える。第１の棚部９及び第２の棚部１１は、係合突起２９，３１及び側壁突部３３，３５に支持された状態で、貯蔵物を載せる載置面が同一面上の水平面となる「同一面形状」と、「同一面形状」に対し、第１の棚部９が屈曲部１０を介して屈曲した状態で、第２の棚部１１が係合突起３１及び側壁突部３５に支持される「屈曲形状」と、に変位する。
【００３１】
棚部材７を図１、図５に示す「屈曲形状」とすることで、棚部材７より左側の貯蔵室５の空間の上下方向の高さが、右側の空間よりも高くなり、例えば容量が２Ｌのペットボトル５１のような背丈の高い物であっても、立てたままで収納することができる。その際、棚部材７は、貯蔵室５の右側の空間を上下に区画する使用状態である。すなわち、第２の棚部１１の上下の各空間に他の貯蔵物を適宜収納することができ、貯蔵室５に背丈の高い物を収納する場合であっても、棚部材７を有効利用していることになる。
【００３２】
（２）本実施形態は、貯蔵室５の前後方向後側の外側下部に、圧縮機２５を収容配置する機械室２３が形成され、機械室２３に対応する貯蔵室５には、前方に膨出する膨出部２１が形成されている。膨出部２１の上面２１ｂ１の延長上に、棚部材７の貯蔵物を載せる載置面となる棚面９ａ，１１ａが位置している。
【００３３】
この場合、膨出部２１の上面２１ｂ１が棚面９ａ，１１ａと同一面となることで、棚面９ａ，１１ａに載せる貯蔵物を上面２１ｂ１にも載せることができ、膨出部２１の上面２１ｂ１を有効利用することができる。
【００３４】
（３）本実施形態は、貯蔵室５の前後方向後側の後壁３ｅの内壁には、「同一面形状」に対して屈曲した状態の第１の棚部９を、左右両側から支持する後壁突部４１，４３が設けられている。
【００３５】
このため、「屈曲形状」とした棚部材７の第１の棚部９を、後壁突部４１，４３により両側から挟むようにして安定して保持することができる。その際、貯蔵室５の底面（下壁３ｂの上面）には、第１の棚部９の下部を保持するための突部などを設ける必要がない。このため、図４のように棚部材７を「同一面形状」としたときに、貯蔵室５の底面全体が平らな面となり、貯蔵物の収納を円滑に行え、底面の見栄えも向上する。
【００３６】
（４）本実施形態は、係合突起２９，３１が貯蔵室５の前後方向後側の内壁に設けられ、側壁突部３３，３５が貯蔵室５の左右方向両側の内壁に設けられている。係合突起２９，３１は、第１の棚部９を支持する係合突起２９と、第２の棚部１１を支持する係合突起３１とを備えている。係合突起２９と係合突起３１の間に隙間３２が形成され、隙間３２の上方に屈曲部１０が位置し、かつ、隙間３２に、「同一面形状」に対して屈曲した状態の第１の棚部９が位置する。
【００３７】
この場合、棚部材７は、「同一面形状」としたときに、前後方向後側が係合突起２９，３１に、左右方向両側が側壁突部３３，３５にそれぞれ支持されて、より確実に冷蔵庫本体３に取り付けることができる。一方棚部材７は、「屈曲形状」としたときに、隙間３２の上方に屈曲部１０が位置するので、第１の棚部９は、第２の棚部１１に対して屈曲させたときに、貯蔵室５の底面に対して直角となる状態を確保でき、収納空間をより有効に利用できる。
【００３８】
（５）本実施形態は、屈曲部１０が、第１の棚部９と第２の棚部１１とを回転自在に連結する回転支持軸１３を備えている。このため、第１の棚部９と第２の棚部１１とを備える棚部材７は、回転支持軸１３を中心として、図２に示す「同一面形状」と図３に示す「屈曲形状」とに容易に変位させることができる。
【００３９】
以上、本発明の実施形態について説明したが、これらの実施形態は本発明の理解を容易にするために記載された単なる例示に過ぎず、本発明は当該実施形態に限定されるものではない。本発明の技術的範囲は、上記実施形態で開示した具体的な技術事項に限らず、そこから容易に導きうる様々な変形、変更、代替技術なども含む。
【００４０】
例えば、上記した実施形態では、図４の水平状態の第２の棚部１１に対し、図１、図５のように第１の棚部９を屈曲させて下壁３ｂに垂直としているが、これとは逆に図４の水平状態の第１の棚部９に対し、第２の棚部１１を屈曲させて下壁３ｂに垂直となるようにしてもよい。この場合、棚部材７より右側の貯蔵室５の空間の上下方向の高さが、左側の空間よりも高くなり、例えば容量が２Ｌのペットボトル５１のような背丈の高い物であっても、立てたままで収納することができる。
【００４１】
上記した実施形態では、第１の棚部９と第２の棚部１１との間の屈曲部１０に回転支持軸１３を設けているが、回転支持軸１３を設けずに、第１の棚部９と第２の棚部１１とを、例えば可撓性の部材で連結することで屈曲部を形成してもよい。
【符号の説明】
【００４２】
１  冷蔵庫
３  冷蔵庫本体
５  貯蔵室
７  棚部材
９  第１の棚部
９ａ，１１ａ  棚面（載置面）
１１  第２の棚部
１０  屈曲部
１３  回転支持軸
２１  膨出部
２１ｂ１  膨出部の上面
２３  機械室
２５  圧縮機
２９  係合突起（第１の支持部、支持部）
３１  係合突起（第２の支持部、支持部）
３２  隙間
３３，３５  側壁突部（支持部）
４１，４３  後壁突部（屈曲形状支持部）
【図１】
2019124370.tif 000003
【図２】
2019124370.tif 000004
【図３】
2019124370.tif 000005
【図４】
2019124370.tif 000006
【図５】
2019124370.tif 000007
【図６】
2019124370.tif 000008
【図７】
2019124370.tif 000009